(57)【特許請求の範囲】
【請求項１】
ＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラであって、
前記受信アンテナにて受信したＯＦＤＭ信号を離散フーリエ変換することで、前記ＯＦＤＭ信号の周波数軸上のスペクトルを抽出する離散フーリエ変換部と、
前記離散フーリエ変換部にて抽出されたスペクトル毎に、各スペクトルの振幅の絶対値を求め、該振幅の絶対値を時間平均する振幅スペクトル算出部と、
前記振幅スペクトル算出部にてスペクトル毎に求められた時間平均値を前記ＯＦＤＭ信号の周波数帯域内で平均化し、該平均化により得られた帯域内平均値を前記各スペクトルの時間平均値で除算することで、前記各スペクトルの時間平均値の逆数を算出する逆数算出部と、
該逆数算出部による算出結果を逆離散フーリエ変換することにより、前記回り込み信号の遅延プロファイルを算出する逆離散フーリエ変換部と、
該逆離散フーリエ変換部にて算出されたＮ個のデータからなる遅延プロファイルの中から、０からＮ／２個までのデータを抽出し、その抽出したデータに所定の補正係数を乗算することで、遅延プロファイルの振幅レベルを補正する補正処理部と、
を備え、前記補正処理部にて補正された遅延プロファイルに基づき、前記受信アンテナにて受信したＯＦＤＭ信号から回り込み信号を除去することを特徴とする回り込みキャンセラ。
【請求項２】
ＯＦＤＭ信号を受信アンテナにて受信し、該受信信号を送信アンテナから再送信する中継装置において、
前記送信アンテナからの送信電波が前記受信アンテナに回り込むことにより前記受信信号に重畳された回り込み信号を除去する回り込みキャンセラとして、請求項１に記載の回り込みキャンセラを備えたことを特徴とする中継装置。
【発明の詳細な説明】
【技術分野】
【０００１】
本発明は、地上デジタル放送等で無線送信されるＯＦＤＭ信号を中継する中継装置において、送信アンテナからの送信電波が受信アンテナに回り込むことにより受信信号に重畳される回り込み信号を除去するための回り込みキャンセラ、及び、この回り込みキャンセラを備えた中継装置に関する。
【背景技術】
【０００２】
従来、地上デジタル放送等のＯＦＤＭ信号を周波数変換（換言すればチャンネル変換）することなく中継する、ＳＦＮ方式の中継装置が知られている。
この種の中継装置には、送信信号が受信側に回り込むことにより、発振等の不具合が発生するのを防止するために、回り込み信号の遅延プロファイルを測定し、その測定した遅延プロファイルに従い受信信号から回り込み信号成分を除去する、回り込みキャンセラが設けられる。
【０００３】
この回り込みキャンセラによる遅延プロファイルの測定方法としては、例えば、下記(ａ)〜（ｃ）のような各種測定方法が知られている（例えば、特許文献１等参照）。
（ａ）ＯＦＤＭ信号に同期復調時の振幅位相基準として挿入されるＳＰ信号（Ｓｃａｔｔｅｒｅｄ  Ｐｉｌｏｔ  Ｓｉｇｎａｌ）等の基準信号を用いて伝送路の伝達関数を推定し、その推定した伝送路の伝達関数を逆離散フーリエ変換することで遅延プロファイルを測定する方法。
【０００４】
（ｂ）受信したＯＦＤＭ信号を拡散フーリエ変換することで、受信帯域内のスペクトルを抽出し、各スペクトルを時間的に平均化して、その逆数を逆拡散フーリエ変換する方法（詳しくは、特許文献２参照）。
【０００５】
（ｃ）上記（ｂ）と同様にＯＦＤＭ信号の周波数軸上の各スペクトルを時間的に平均化し、その時間平均値から各スペクトルの振幅特性を求めて、最小位相条件等を用いて伝送路の伝達関数を推定し、その推定した伝送路の伝達関数を逆離散フーリエ変換することで遅延プロファイルを測定する方法。
【０００６】
そして、上記（ｂ）の測定方法によれば、（ａ）の測定方法のように、ＯＦＤＭ信号に挿入された基準信号を用いることなく遅延プロファイルを測定できるので、基準信号が挿入されていないＯＦＤＭ信号であっても、基準信号の挿入位置が異なるＯＦＤＭ信号であっても、回り込み信号を除去することができる。
【０００７】
また、上記（ｂ）の測定方法では、（ｃ）の測定方法のように、最小位相条件等を用いて伝送路の伝達関数を推定しないので、（ｃ）の測定方法に比べて、測定に用いる演算回路に演算能力の低いものを利用でき、回り込みキャンセラの製造コストを低減できる。
【先行技術文献】
【特許文献】
【０００８】
【特許文献１】特開２００４−８０６６８号公報
【特許文献２】特開２００２−２７１２９５号公報
【発明の概要】
【発明が解決しようとする課題】
【０００９】
ところで、(ｂ)の測定方法では、伝送路の伝達関数を求めないので、(ａ)、（ｃ）の測定方法に比べて、遅延プロファイルの測定精度は低くなる。
しかし、地上デジタル放送等のＯＦＤＭ信号を中継する中継装置において特に問題になるのは、放送局若しくは自局よりも前段の中継装置からの送信電波が反射することにより生じる遅延波ではなく、自局からの送信電波の回り込みによる遅延波である。
【００１０】
このため、中継装置からの送信電波（ＯＦＤＭ信号）の品質を確保するには、自局からの送信電波の回り込み信号の遅延プロファイルを測定すればよいことになる。
そして、この回り込み信号の位相は、ほぼ一定であることから、中継装置において、送信電波（ＯＦＤＭ信号）の品質を確保するために回り込み信号の遅延プロファイルを測定する際には、(ａ)、（ｃ）の測定方法のように、必ずしも、回り込み信号の位相を含む伝達関数を求める必要はなく、伝送路の伝達関数を算出しない（ｂ）の測定方法でも、送信品質を確保するのに必要な遅延プロファイルを測定できると考えられる。
【００１１】
ところが、上記(ｂ)の測定方法（詳しくは、特許文献２に記載の測定方法）に従い、中継装置における回り込み信号の遅延プロファイルを実際に測定（シミュレーション）したところ、上記（ｂ）の測定方法では遅延プロファイルの算出精度が著しく低下することがあり、回り込み信号を十分除去することができない場合があることがわかった。
【００１２】
そして、本願発明者らがこの原因を調べたところ、上記（ｂ）の測定方法では、特許文献２に記載のように、ＯＦＤＭ信号を離散フーリエ変換することにより得られたスペクトル毎に、各スペクトルの振幅Ｓ(n) の二乗値Ｓ(n)2を求め、その平均値Ｓ(n)2avの逆数Ａ／Ｓ(n)2av｛但し、Ａは補正係数｝を逆離散フーリエ変換することで、回り込み信号の遅延プロファイルを算出しているためであることがわかった。
【００１３】
本発明は、こうした問題に鑑みなされたものであり、ＯＦＤＭ信号に挿入された基準信号を利用することなく、しかも、最小位相条件等を用いた伝達関数の計算を行うことなく、中継装置における回り込み信号の遅延プロファイルを精度よく測定して、受信信号から回り込み信号を除去することのできる回り込みキャンセラ、及び、この回り込みキャンセラを備えた中継装置を提供することを目的とする。
【課題を解決するための手段】
【００１４】
かかる目的を達成するためになされた請求項１に記載の発明は、
ＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラであって、
前記受信アンテナにて受信したＯＦＤＭ信号を離散フーリエ変換することで、前記ＯＦＤＭ信号の周波数軸上のスペクトルを抽出する離散フーリエ変換部と、
前記離散フーリエ変換部にて抽出されたスペクトル毎に、各スペクトルの振幅の絶対値を求め、該振幅の絶対値を時間平均する振幅スペクトル算出部と、
前記振幅スペクトル算出部にてスペクトル毎に求められた時間平均値を前記ＯＦＤＭ信号の周波数帯域内で平均化し、該平均化により得られた帯域内平均値を前記各スペクトルの時間平均値で除算することで、前記各スペクトルの時間平均値の逆数を算出する逆数算出部と、
該逆数算出部による算出結果を逆離散フーリエ変換することにより、前記回り込み信号の遅延プロファイルを算出する逆離散フーリエ変換部と、
該逆離散フーリエ変換部にて算出されたＮ個のデータからなる遅延プロファイルの中から、０からＮ／２個までのデータを抽出し、その抽出したデータに所定の補正係数を乗算することで、遅延プロファイルを補正する補正処理部と、
を備え、前記補正処理部にて補正された遅延プロファイルに基づき、前記受信アンテナにて受信したＯＦＤＭ信号から回り込み信号を除去することを特徴とする。
【００１５】
また、請求項２に記載の発明は、ＯＦＤＭ信号を受信アンテナにて受信し、該受信信号を送信アンテナから再送信する中継装置において、前記送信アンテナからの送信電波が前記受信アンテナに回り込むことにより前記受信信号に重畳された回り込み信号を除去する回り込みキャンセラとして、請求項１に記載の回り込みキャンセラを備えたことを特徴とする。
【発明の効果】
【００１６】
請求項１に記載の回り込みキャンセラにおいては、振幅スペクトル算出部が、離散フーリエ変換部にて抽出されたスペクトル毎に、各スペクトルの振幅Ｓ(n) の絶対値を求め、その振幅Ｓ(n) の絶対値を時間平均する。そして、逆数算出部が、振幅スペクトル算出部にてスペクトル毎に求められた時間平均値Ｓ(n)tavをＯＦＤＭ信号の周波数帯域内で平均化し、その平均化により得られた帯域内平均値Ａｖを各スペクトルの時間平均値Ｓ(n)tavで除算することで、各スペクトルの時間平均値Ｓ(n)tavの逆数｛Ａｖ／Ｓ(n)tav｝を算出し、逆離散フーリエ変換部が、逆数算出部による算出結果｛Ａｖ／Ｓ(n)tav｝を逆離散フーリエ変換することにより、回り込み信号の遅延プロファイルを算出する。
【００１７】
つまり、本発明の回り込みキャンセラにおいては、上記（ｂ）の測定方法のように、ＯＦＤＭ信号を離散フーリエ変換することにより得られたスペクトル毎に、各スペクトルの振幅Ｓ(n) の二乗値Ｓ(n)2を求め、その平均値Ｓ(n)2avの逆数Ａ／Ｓ(n)2avを逆離散フーリエ変換するのではなく、次式（１）で表される各スペクトルの振幅Ｓ(n) の絶対値を時間平均し、その時間平均値Ｓ(n)tavの逆数｛Ａｖ／Ｓ(n)tav｝を逆離散フーリエ変換することで、回り込み信号の遅延プロファイルを算出する。
【００１８】
絶対値＝√[Ｒｅ［Ｓ(n) ］2＋Ｉｍ［Ｓ(n) ］2]  …（１）
但し、（１）式において、Ｒｅ［Ｓ(n) ］は振幅Ｓ(n) の実部、 Ｉｍ［Ｓ(n) ］は振幅Ｓ(n) の虚部をあらわし、√は｛  ｝内の平方根をとること（つまりルート計算）を表す。
【００１９】
ところで、このように逆離散フーリエ変換部で遅延プロファイルを算出した場合、逆離散フーリエ変換で得られるＮ個の振幅値に２つのピークが生じ、逆離散フーリエ変換部で得られた遅延プロファイルだけでは、回り込み信号を除去するためのキャンセル信号を精度よく生成することができない。
【００２０】
なお、この原因は、本発明では、振幅スペクトル算出部にて、各スペクトルの振幅Ｓ(n) の二乗値をルート計算することにより、各スペクトルの振幅Ｓ(n) の絶対値を求め、その絶対値を時間平均することから、振幅スペクトル算出部で得られる各スペクトルの時間平均値Ｓ(n)tavが実部だけになってしまうためであると考えられる。
【００２１】
そこで、本発明の回り込みキャンセラにおいては、更に補正処理部を設け、この補正処理部にて、逆離散フーリエ変換部にて算出されたＮ個のデータからなる遅延プロファイルの中から、０からＮ／２個までのデータを抽出し、その抽出したデータに所定の補正係数を乗算することで、遅延プロファイルを補正するようにしている。
【００２２】
この結果、本発明の回り込みキャンセラによれば、後述実施形態の実験例から明らかなように、上記（ｂ）の測定方法に比べて、遅延プロファイルの算出精度を向上することができ、逆離散フーリエ変換部にて得られた遅延プロファイルに基づき、受信信号から回り込み信号を良好に除去することができるようになる。
【００２３】
また、本発明の回り込みキャンセラによれば、上記（ａ）の測定方法のように、ＯＦＤＭ信号に挿入された基準信号を用いることなく、回り込み信号の遅延プロファイルを算出できるので、基準信号が挿入されていないＯＦＤＭ信号であっても、基準信号の挿入位置が異なるＯＦＤＭ信号であっても、回り込み信号を除去することができる。
【００２４】
また、本発明の回り込みキャンセラによれば、上記（ｃ）の測定方法のように、最小位相条件等を用いて伝送路の伝達関数を推定しないので、遅延プロファイルの算出に用いる演算回路に演算能力の低いものを利用でき、回り込みキャンセラの製造コストを低減することができる。
【００２５】
また、請求項２に記載の中継装置によれば、上述した本発明の回り込みキャンセラを備えているので、送信アンテナからの送信電波が受信アンテナに回り込んで、受信信号にその回り込み信号が重畳されても、回り込みキャンセラにて、受信信号から回り込み信号を除去することができる。
【００２６】
そして、本発明の回り込みキャンセラは、回り込み信号を良好に除去することができるだけでなく、従来のものに比べて製造コストを低減することができることから、本発明の中継装置によれば、回り込み信号により発振等の不具合が生じるのを防止し得る中継装置を、低コストで実現できることになる。
【図面の簡単な説明】
【００２７】
【図１】実施形態の中継装置の構成を表すブロック図である。
【図２】振幅スペクトル算出部の構成を表すブロック図である。
【図３】補正処理部の動作を説明する説明図である。
【図４】回り込み信号キャンセル前／後の遅延プロファイル及びコンスタレーションの測定結果を表すグラフである。
【図５】本発明と従来技術とで遅延プロファイルの算出結果を比較するのに用いたシステム構成を表す説明図である。
【図６】図５の構成で得られた遅延プロファイルの算出結果を表すグラフである。
【図７】実施形態の中継装置の変形例を表すブロック図である。
【発明を実施するための形態】
【００２８】
以下に本発明の実施形態を図面と共に説明する。
図１は、本発明が適用された中継装置全体の構成を表すブロック図である。
本実施形態の中継装置は、地上デジタルテレビ放送の放送電波を受信アンテナ２で受信し、その受信信号を増幅装置４にて増幅した後、送信アンテナ６から再送信するものである。
【００２９】
そして、本実施形態の中継装置には、送信アンテナ６からの送信電波が受信アンテナ２に回り込むことにより受信信号に重畳された回り込み信号を除去するために、Ａ／Ｄ変換部１２、キャンセル信号生成部１０、加算器８、及びＤ／Ａ変換部２６が設けられている。
【００３０】
ここで、Ａ／Ｄ変換部１２は、受信アンテナ２にて受信された受信信号の中から、中継対象（換言すれば回り込み信号の除去対象）となる放送チャンネルの放送信号を選局することでベースバンドのＯＦＤＭ信号に周波数変換し、ＯＦＤＭ信号をデジタルデータに変換するためのものである。
【００３１】
そして、このＡ／Ｄ変換部１２にてデジタルデータに変換されたベースバンドのＯＦＤＭ信号は、キャンセル信号生成部１０に入力され、キャンセル信号生成部１０にて、回り込み信号を除去するのに必要なキャンセル信号（デジタルデータ）を生成するのに用いられる。
【００３２】
また、加算器８は、キャンセル信号生成部１０で生成されたキャンセル信号をＡ／Ｄ変換部１２でデジタルデータに変換されたベースバンドのＯＦＤＭ信号に加算することで、ＯＦＤＭ信号から回り込み信号を除去するためのものであり、加算器８にて回り込み信号が除去されたＯＦＤＭ信号は、Ｄ／Ａ変換部２６に入力される。
【００３３】
そして、Ｄ／Ａ変換部２６では、加算器８にて回り込み信号が除去されたＯＦＤＭ信号をアナログ信号にＤ／Ａ変換し、そのアナログ信号を元の放送チャンネルにアップコンバートすることで、回り込み信号除去後の放送信号を生成し、増幅装置４に出力する。
【００３４】
なお、本実施形態では、説明を簡単にするため、中継装置が受信・再送信する放送電波は１波であり、Ａ／Ｄ変換部１２、キャンセル信号生成部１０、加算器８、及び、Ｄ／Ａ変換部２６は、その１波の受信信号から回り込み信号を除去するために、中継装置に一つ設けられているものとするが、中継対象となる放送電波が多チャンネルである場合には、これら各部を放送チャンネル毎に複数に設けるようにすればよい。
【００３５】
次に、キャンセル信号生成部１０内でベースバンドのＯＦＤＭ信号をデジタル処理することによりキャンセル信号（デジタルデータ）を生成するのに用いられるデジタル処理回路について説明する。
【００３６】
図１に示すように、このデジタル処理回路は、離散フーリエ変換部１４、振幅スペクトル算出部１６、逆数算出部１８、逆離散フーリエ変換部２０、補正処理部２２、及び、キャンセル誤差算出部２４にて構成されている。
【００３７】
ここで、離散フーリエ変換部１４は、ＯＦＤＭ信号を離散フーリエ変換することで、ＯＦＤＭ信号の周波数軸上のスペクトルを抽出するものである。
また、振幅スペクトル算出部１６は、図２に示すように絶対値算出部３０と平均化部３２とから構成されており、絶対値算出部３０において、離散フーリエ変換部１４にて抽出されたスペクトル毎に、上述の（１）式に従い、各スペクトルの振幅Ｓ(n) の二乗値の平方根を求めることにより、各スペクトルの振幅Ｓ(n) の絶対値を算出し、平均化部３２にて、絶対値算出部３０で算出される各スペクトルの振幅Ｓ(n) の絶対値を一定期間サンプリングして、その平均値（時間平均値）Ｓ(n)tavを算出する。
【００３８】
次に、逆数算出部１８は、振幅スペクトル算出部１６にて算出されたスペクトル毎の時間平均値Ｓ(n)tavを、ＯＦＤＭ信号の周波数帯域内（換言すればデジタルテレビ放送信号１チャンネル分の周波数帯域内）で平均化し、その平均化により得られた帯域内平均値Ａｖを各スペクトルの時間平均値Ｓ(n)tavで除算することで、各スペクトルの時間平均値Ｓ(n)tavの逆数Ａｖ／Ｓ(n)tavを算出する。
【００３９】
そして、逆離散フーリエ変換部２０は、逆数算出部１８による算出結果を逆離散フーリエ変換することにより、回り込み信号の遅延プロファイルを算出する。
また、補正処理部２２は、逆離散フーリエ変換部２０にて算出されたＮ個のデータからなる遅延プロファイルの中から、０からＮ／２個までのデータを抽出し、その抽出した各データに所定の補正係数（本実施形態では値「２」）を乗じることで、遅延プロファイルを補正する。
【００４０】
つまり、本発明者らが実験を行ったところ、逆離散フーリエ変換部２０にて算出される遅延プロファイルの各データ（Ｎ個）を算出タイミング毎に時系列に記載すると、図３（ａ）に示すように、Ｎ個のデータの中間のデータ（Ｎ／２個目のデータ）を挟んで、その前途に略対称となる山ができて、２つのピークが現れることが判った。
【００４１】
このため、逆離散フーリエ変換部２０で得られた遅延プロファイルでは、回り込み信号を除去するためのキャンセル信号を精度よく生成することができない。
なお、この原因は、本実施形態では、振幅スペクトル算出部１６にて、各スペクトルの振幅Ｓ(n) の二乗値をルート計算することにより、各スペクトルの振幅Ｓ(n) の絶対値を求め、その絶対値を時間平均することから、振幅スペクトル算出部１６で得られる各スペクトルの時間平均値Ｓ(n)tavが実部だけになってしまうためであると考えられる。
【００４２】
そこで、本実施形態では、逆離散フーリエ変換部２０の後段に補正処理部２２を設け、この補正処理部２２にて、逆離散フーリエ変換部にて算出されたＮ個のデータからなる遅延プロファイルの中から、０からＮ／２個までのデータを抽出し、その抽出したデータに所定の補正係数を乗算することで、図３（ｂ）に示すように、遅延プロファイルを補正するようにしているのである。
【００４３】
そして、この補正処理部２２で補正された遅延プロファイルは、キャンセル誤差算出部２４に入力され、キャンセル誤差算出部２４は、その入力された遅延プロファイルに基づき受信信号から回り込み信号を除去するためのキャンセル信号（デジタルデータ）を生成し、Ｄ／Ａ変換部２６に出力する。
【００４４】
以上説明したように、本実施形態のキャンセル信号生成部１０では、ＯＦＤＭ信号を離散フーリエ変換することにより得られたスペクトル毎に、各スペクトルの振幅Ｓ(n) の二乗値Ｓ(n)2を求め、その平均値Ｓ(n)2avの逆数Ａ／Ｓ(n)2avを逆離散フーリエ変換するのではなく、上述の（１）式に従い各スペクトルの振幅Ｓ(n) の二乗値の平方根を求めることにより、各スペクトルの振幅Ｓ（ｎ）の絶対値を算出して、その絶対値を時間平均し、その時間平均値Ｓ(n)tavの逆数｛Ａｖ／Ｓ(n)tav｝を逆離散フーリエ変換することで、回り込み信号の遅延プロファイルを算出する。そして、その遅延プロファイルを表すＮ個のデータの中から、０〜Ｎ／２の変換結果を抽出し、各データ値を補正することで、遅延プロファイルを補正する。
【００４５】
この結果、本実施形態の中継装置によれば、送信アンテナ６からの送信電波が受信アンテナ２に回り込むことにより、受信信号に回り込み信号が重畳されたとしても、キャンセル信号生成部１０内でその回り込み信号の遅延プロファイルを正確に算出して、その算出結果に基づき、受信信号から回り込み信号を良好に除去することができるようになる。
【００４６】
また、本実施形態の中継装置によれば、ＯＦＤＭ信号に挿入された基準信号を用いることなく、回り込み信号の遅延プロファイルを算出できるので、将来、デジタルテレビ放送信号（ＯＦＤＭ信号）に挿入される基準信号（ＳＰ信号等）の挿入位置が変更されても、受信信号から回り込み信号を除去することができる。
【００４７】
また、本実施形態の中継装置によれば、最小位相条件等を用いて伝送路の伝達関数を推定しないので、遅延プロファイルの算出に用いる演算回路に演算能力の低いものを利用でき、回り込みキャンセラの製造コストを低減することができる。
［実験例１］
次に、キャンセル信号生成部１０と加算器８とにより構成される本実施形態の回り込みキャンセラによる回り込み信号の除去効果を確認するため、デジタルテレビ放送信号（１チャンネル）の電波を希望波、この希望波に対し１０ｄＢ高く一定時間（詳しくは５０μｓ）だけ遅延させた回り込み信号を妨害波として、これら各電波が受信アンテナ２に入射されたときの、回り込み信号キャンセル前の受信信号と回り込み信号キャンセル後の受信信号とを測定（シミュレーション）した。
【００４８】
その測定結果を、図４に示す。
図４（ａ−１）に示すように、キャンセル前の回り込み信号は、希望波であるデジタルテレビ放送信号に対し１０ｄＢ高くなっている（ＤＵ比：−１０ｄＢ）にもかかわらず、キャンセル後の回り込み信号は、図４（ａ−２）に示すように、希望波であるデジタルテレビ放送信号よりも４０ｄＢ低くなっており（ＤＵ比：４０ｄＢ）、本実施形態の中継装置によれば、再送信時に、回り込み信号を充分抑制できることが判る。
【００４９】
また、図４（ｂ−１）、図４（ｂ−２）は、キャンセル前の受信信号とキャンセル後の受信信号のコンスタレーションを測定した測定結果を表しているが、この図から明らかなように、本実施形態の中継装置によれば、デジタルテレビ放送信号（ＯＦＤＭ信号）のコンスタレーションを、理想的なシンボル位置に近づけることができることが判る。
［実験例２］
また次に、本発明による遅延プロファイルの測定結果が上述した（ｂ）の従来技術による測定結果に比べて高精度であることを確認するため、図５に示すように、希望波（ＯＦＤＭ信号）に対する妨害波（回り込み信号）の比（ＤＵ比）を６ｄＢ、回り込み信号の遅延時間を５０μｓとして、回り込み信号を含むＯＦＤＭ信号を遅延プロファイルの演算回路に入力し、本発明（請求項１）及び上記（ｂ）の従来技術に対応した演算手順で遅延プロファイルをそれぞれ演算した。
【００５０】
その演算結果を、図６に示す。
図６（ａ）に示すように、本発明による遅延プロファイル算出結果によれば、希望波（ＯＦＤＭ信号）に対する回り込み信号の遅延量は、入力信号とほぼ同じ５０μｓとなっており、妨害波である回り込み信号の信号レベルは、希望波（ＯＦＤＭ信号）に対し−５．６５７ｄＢ（ＤＵ比：５．６５７ｄＢ）となっている。つまり、本発明によれば、回り込み信号の遅延プロファイルを略正確に求めることができる。
【００５１】
これに対し、上述した（ｂ）の従来技術による遅延プロファイル算出結果では、図６（ｂ）に示すように、希望波（ＯＦＤＭ信号）に対する回り込み信号の遅延量は、入力信号とほぼ同じ５０μｓとなっているものの、妨害波である回り込み信号の信号レベルは、希望波（ＯＦＤＭ信号）に対し−３．４９５ｄＢ（ＤＵ比：３．４９５ｄＢ）となっており、入力信号のＤＵ比とは大きく異なっている。
【００５２】
これは、上述した（ｂ）の従来技術では、図５の下段に示すように、ＯＦＤＭ信号を離散フーリエ変換（ＦＦＴ）することにより得られたスペクトル毎に、各スペクトルの振幅Ｓ(n) の二乗値Ｓ(n)2｛＝Ｒｅ［Ｓ(n)］2＋Ｉｍ［Ｓ(n)］2｝を求め、その平均値Ｓ(n)2avの逆数Ａ／Ｓ(n)2avを逆離散フーリエ変換（ＩＦＦＴ）することにより、回り込み信号の遅延プロファイルを算出しているためである。
【００５３】
つまり、本発明では、図５の上段に示すように、ＯＦＤＭ信号を離散フーリエ変換（ＦＦＴ）することにより得られたスペクトル毎に、各スペクトルの振幅Ｓ(n) の二乗値Ｓ(n)2｛＝Ｒｅ［Ｓ(n)］2＋Ｉｍ［Ｓ(n)］2｝の平方根をとることで（ルート計算）、各スペクトルの振幅Ｓ(n) の絶対値を求め、その絶対値を時間平均して、時間平均値Ｓ(n)tavの逆数｛Ａｖ／Ｓ(n)tav｝を求めて、逆離散フーリエ変換（ＩＦＦＴ）することで、回り込み信号の遅延プロファイルを算出し、更に、その遅延プロファイルを補正処理部２２で補正するようにしていることから、上述した（ｂ）の従来技術に比べ、回り込み信号の遅延プロファイルを高精度に算出することができるようになるのである。
【００５４】
以上、本発明の実施形態及びその効果を裏付ける実験例について説明したが、本発明は、上記実施形態に限定されるものではなく、本発明の要旨を逸脱しない範囲内にて、種々の態様をとることができる。
【００５５】
例えば、上記実施形態では、Ａ／Ｄ変換部１２で受信信号をベースバンドのＯＦＤＭ信号（デジタルデータ）に変換した後、ＯＦＤＭ信号をキャンセル信号生成部１０及び加算器８に入力し、加算器８からの出力は、Ｄ／Ａ変換部２６に入力することにより、Ａ／Ｄ変換部２６で回り込み信号除去後の放送信号を生成するものとして説明したが、図７に示すように、Ａ／Ｄ変換部１２及びＤ／Ａ変換部２６は、キャンセル信号生成部１０に設けるようにしてもよい。
【００５６】
すなわち、図７に示す中継装置には、受信アンテナ２からの受信信号を分配器７で２分配し、その一方を加算器８に入力し、他方をキャンセル信号生成部１０に入力するようにされている。
【００５７】
そして、キャンセル信号生成部１０では、Ａ／Ｄ変換部１２が、分配器７を介して入力された受信信号をベースバンドのＯＦＤＭ信号（デジタルデータ）に変換し、Ｄ／Ａ変換部２６が、キャンセル誤差算出部２４にて生成されたキャンセル信号（デジタルデータ）を、回り込み信号の除去対象となるチャンネルの放送信号に対応した周波数のアナログ信号（放送信号）に変換して、加算器８に出力する。
【００５８】
そして、このように中継装置を構成しても、図１に示した上記実施形態の中継装置と同様の効果を得ることができる。
また、上記実施形態では、補正処理部２２は、逆離散フーリエ変換部２０にて算出されたＮ個のデータの中から０からＮ／２個までのデータを抽出し、その抽出した各データに補正係数として値「２」を乗じることで、遅延プロファイルを補正するものとして説明したが、この補正係数については、中継装置の設置場所や回り込み信号の特性等を考慮して、回り込み信号を除去するのに適した値にすればよい。
【００５９】
なお、上記実施形態において、補正係数を値「２」としているのは、図３に示すように、補正処理前の遅延プロファイルにおける２つのピークが、正規の遅延プロファイルのピークの略１／２となったためである。
【００６０】
また、上記実施形態では、地上デジタルテレビ放送信号を中継する中継装置に本発明を適用する場合について説明したが、本発明の回り込みキャンセラは、ＯＦＤＭ信号を中継する中継装置であれば、上記実施形態と同様に適用して、同様の効果を得ることができる。
【符号の説明】
【００６１】
２…受信アンテナ、４…増幅装置、６…送信アンテナ、７…分配器、８…加算器、１０…キャンセル信号生成部、１２…Ａ／Ｄ変換部、１４…離散フーリエ変換部、１６…振幅スペクトル算出部、１８…逆数算出部、２０…逆離散フーリエ変換部、２２…補正処理部、２４…キャンセル誤差算出部、２６…Ｄ／Ａ変換部、３０…絶対値算出部、３２…平均化部。
【図１】
0005535029.tif 000002
【図２】
0005535029.tif 000003
【図３】
0005535029.tif 000004
【図７】
0005535029.tif 000005
【図４】
0005535029.tif 000006
【図５】
0005535029.tif 000007
【図６】
0005535029.tif 000008